(57)【要約】【課題】装着者の体型の違いや着用する下着の締付け力の違いによっても、吸収体のフィット性が変わらず、臀部の溝の最深部にきっちりと密着させることができ後漏れを確実に防止する。【解決手段】透液性トップシート３とバックシート２との間に吸収体４が介在された吸収性物品１において、前記吸収体４の少なくとも後方部分であってかつ幅方向中央に、長手方向に沿って前記バックシート２の後端縁を越えて外部まで延在するとともに、前記吸収体４よりも外面側の位置に接着された持上げ部材１４を設ける。使用に当たっては、吸収性物品１を股間部にあてがった後、装着者が前記持上げ部材１４の延在部分１４ａを摘んで上方に引き上げることによって、吸収体４を臀部の溝に食い込ませるようにする。【選択図】図１
2008006204.tif 000002
【特許請求の範囲】
【請求項１】
透液性トップシートとバックシートとの間に吸収体が介在された吸収性物品において、
前記吸収体の少なくとも後方部分であってかつ幅方向中央に、長手方向に沿って前記バックシートの後端縁を越えて外部まで延在する持上げ部材が配設されていることを特徴とする吸収性物品。
【請求項２】
前記持上げ部材は、前記吸収体よりも外面側の位置に接着されている請求項１記載の吸収性物品。
【請求項３】
透液性トップシートとバックシートとの間に吸収体が介在された吸収性物品において、
前記吸収体の少なくとも後方部分であってかつ幅方向中央に、長手方向に沿って前記バックシートの後端縁を越えて外部まで延在するとともに、前記吸収体に接着された持上げ部材が配設されていることを特徴とする吸収性物品。
【請求項４】
透液性トップシートとバックシートとの間に吸収体が介在されるとともに、前記吸収体が下層吸収体と、幅方向中央に長手方向に沿って配設された別体の中高吸収体とからなる吸収性物品において、
前記中高吸収体の少なくとも後方部分であってかつ幅方向中央に、長手方向に沿って前記バックシートの後端縁を越えて外部まで延在するとともに、前記中高吸収体に接着された持上げ部材が配設されていることを特徴とする吸収性物品。
【請求項５】
透液性トップシートとバックシートとの間に吸収体が介在された吸収性物品において、
前記バックシートの少なくとも後方部分であってかつ幅方向中央に、前記バックシートが幅方向に織り込まれた織り込み部分が設けられるとともに、該織り込み部分に長手方向に沿って前記バックシートの後端縁を越えて外部まで延在するとともに、前記バックシートに接着された持上げ部材が配設されていることを特徴とする吸収性物品。
【請求項６】
透液性トップシートとバックシートとの間に吸収体が介在されるとともに、前記透液性トップシートの上面に別体の中高吸収体を備えた吸収性物品において、
前記中高吸収体の少なくとも後方部分であってかつ幅方向中央に、前記透液性トップシートと接着されない非接着領域が形成され、前記非接着領域の幅方向中央に長手方向に沿って前記バックシートの後端縁を越えて外部まで延在するとともに、前記中高吸収体に接着された持上げ部材が配設されていることを特徴とする吸収性物品。
【請求項７】
前記中高吸収体がバックシートの後端縁を越えて外部まで延在している請求項６記載の吸収性物品。
【請求項８】
前記持上げ部材は、前記吸収性物品の装着時に、所定の引張力を掛けた際に破断若しくは接着が剥離するようにしてある請求項１〜７いずれかに記載の吸収性物品。
【請求項９】
前記吸収体または中高吸収体は、少なくとも後方部分において、幅方向中央部で長手方向に沿って２分割されるか、長手方向に沿って複数に分割されている請求項１〜８いずれかに記載の吸収性物品。
【請求項１０】
前記吸収体または中高吸収体は、少なくとも後方部分において、幅方向中央部が長手方向に沿って薄く形成されている請求項１〜８いずれかに記載の吸収性物品。
【請求項１１】
前記吸収体または中高吸収体は、少なくとも後方部分において、幅方向中央部に長手方向に沿って溝が設けられている請求項１〜８いずれかに記載の吸収性物品。
【請求項１２】
前記吸収体または中高吸収体は、少なくとも後方部分において、長手方向に間隔をおいて幅方向に沿って複数の溝または筋が形成されている請求項１〜８いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、詳しくは着用者の体型にかかわらず、臀裂にフィットし得るようにした吸収性物品に関する。
【背景技術】
【０００２】
従来より、生理用ナプキン、パンティライナー、失禁パッドなどの吸収性物品として、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の吸収性物品においては、排泄された体液の臀部の溝を通じた後漏れを防止するための手段が種々講じられている。例えば下記特許文献１では、身体の湾曲又は動きに合わせて常にフィットする吸収性物品とするため、少なくとも吸収層の長手方向の中央部は防漏層に固定される一方、吸収層の後方部には防漏層に固定されない後方自由縁部が形成され、この後方自由縁部には吸収体の長手方向に沿って且つ所定長さに亘って弾性部材が配されており、該弾性部材の収縮により、前記後方自由縁部が防漏層の上方に向けて起立する吸収性物品が開示されている。また、下記特許文献２では、臀部の溝により適合して漏れを防ぐ吸収性物品とするため、液体阻止セクションには縦方向に延びる選択的曲げゾーンが備えられ、該選択的曲げゾーンで曲がって着用者の臀部の溝に入ることができる生理用ナプキン開示されている。
【０００４】
しかしながら、下記特許文献１に記載の吸収性物品は、臀部表面の湾曲には対応できるものの、臀部の溝を通じた漏れを防止することができず、下記特許文献２に記載の生理用ナプキンは、前記液体阻止部が自然にわずかだけ着用者の皮膚に接着し、この部分が体の輪郭を取り易くなり、臀部の溝に沿うという構成であるため、確実に臀部の溝の最深部に密着させることができなかった。
【０００５】
これらの臀部の溝からの確実な後漏れを防止するため、吸収体を臀部の溝を埋めるように密着させるようにした吸収性物品が提案されている。例えば、下記特許文献３では、身体が動いたときに臀部の溝への密着性を維持しやすい吸収性物品とするため、本体部と固定された前方部分と本体部と固定されない後方自由部分とに区分された表面構造体において、前記後方自由部分が前記本体部よりも幅寸法が小さく、且つ前記前方部分よりも幅寸法が小さく形成されるとともに、本体部の中心線に対して左右５度以上の角度で変形自在である吸収性物品が開示されている。
【０００６】
また、下記特許文献４では、吸収体が下部吸収体とこれより幅狭の上部吸収体とから構成され、前記上部吸収体は吸収性物品の表面側であって、かつナプキン長手方向中心位置に配置され、少なくとも排血部位の前方側位置から前記排血部位を含む範囲までが下部吸収体側と実質的に接合され一体を成し、前記排血部位を含む範囲までの接合後端位置からさらに後方側部分が下部吸収体側と非接合とされ、実質的に移動を拘束されない自由区間部を構成することによって、下部吸収体の大きな移動があっても上部吸収体の側に伝達されないため位置ズレを起こさずフィットした状態を保持するようになり、漏れが確実に防止される吸収性物品が開示されている。
【特許文献１】特開平１１−１０４１６９号公報
【特許文献２】特開２０００−１８５０７４号公報
【特許文献３】特開２００３−７９６６２号公報
【特許文献４】特開２００３−１０２４２号公報
【発明の開示】
【発明が解決しようとする課題】
【０００７】
上記特許文献３、４に記載の吸収性物品は、いずれも臀部の溝を埋めるように吸収体を密着させるものであるため臀部の溝を通じた漏れを低減することは可能であるものの、上記特許文献３、４に記載される吸収性物品は、下着の締付け力によって吸収体を臀部の溝に密着させるものであるため、下着の締付け力により吸収体のフィット性が異なっていた。すなわち、締付け力の緩い下着を使用した場合、上記特許文献３における後方自由部分及び上記特許文献４における上部吸収体は、臀裂の最深部に密着することができず、体液の後漏れが生じる問題があった。さらに、上記特許文献３、４に記載の吸収性物品は、装着者の体型によっても臀部の溝内への密着性又は装着感が異なっていた。すなわち、臀部の肉付きが少ない痩せ型の装着者にとっては、臀部の溝の深部に密着させることができるものの逆にゴワ付き感などの不快感が生じるのに対し、臀部の肉付きが多い肥満型の装着者にとっては、臀部の溝の最深部に密着させることができなかった。
【０００８】
そこで本発明の主たる課題は、装着者の体型の違いや着用する下着の締付け力の違いによっても吸収体のフィット性が変わらず、臀部の溝の最深部にきっちりと密着させることができ、後漏れを確実に防止できるようにした吸収性物品を提供することにある。
【課題を解決するための手段】
【０００９】
前記課題を解決するための請求項１に係る本発明として、透液性トップシートとバックシートとの間に吸収体が介在された吸収性物品において、
前記吸収体の少なくとも後方部分であってかつ幅方向中央に、長手方向に沿って前記バックシートの後端縁を越えて外部まで延在する持上げ部材が配設されていることを特徴とする吸収性物品が提供される。
【００１０】
請求項２に係る本発明として、前記持上げ部材は、前記吸収体よりも外面側の位置に接着されている請求項１記載の吸収性物品が提供される。
【００１１】
上記請求項１、２記載の本発明においては、装着時に、上記持上げ部材の延在部分を摘んで上方側に引っ張り上げることによって、吸収体を臀部の溝の深層部に食い込ませ密着させることが可能となる。これによって、装着者の体型、すなわち臀部の肉付きの違いや着用する下着の締付け力の違いによって吸収体のフィット性が異なるという従来の問題点が解決されるようになる。また、従来の吸収性物品の場合は、臀部の肉付きが少ない痩せ型の装着者の場合、逆にゴワ付き感などの不快感を与えていたが、本発明では着用者自身が持ち上げ部材を引っ張り上げて吸収体を臀部に食い込ませるため、臀部に吸収体をフィットさせつつ、違和感がないように吸収体の位置など調節することが可能である。なお、上記請求項２に係る発明において「吸収体よりも外面側」とは吸収体よりもバックシート側をいう。
【００１２】
請求項３に係る本発明として、透液性トップシートとバックシートとの間に吸収体が介在された吸収性物品において、
前記吸収体の少なくとも後方部分であってかつ幅方向中央に、長手方向に沿って前記バックシートの後端縁を越えて外部まで延在するとともに、前記吸収体に接着された持上げ部材が配設されていることを特徴とする吸収性物品が提供される。
【００１３】
上記請求項３記載の本発明は、上記持上げ部材の第１の配設形態例であり、吸収体の少なくとも後方部分であってかつ幅方向中央に、長手方向に沿って前記バックシートの後端縁を越えて外部まで延在するとともに、前記吸収体に接着された持上げ部材が配設することにより、装着時に、上記持上げ部材の延在部分を摘んで上方側に引っ張り上げることによって、吸収体を臀部の溝の深層部に食い込ませ密着させることが可能となる。
【００１４】
請求項４に係る本発明として、透液性トップシートとバックシートとの間に吸収体が介在されるとともに、前記吸収体が下層吸収体と、幅方向中央に長手方向に沿って配設された別体の中高吸収体とからなる吸収性物品において、
前記中高吸収体の少なくとも後方部分であってかつ幅方向中央に、長手方向に沿って前記バックシートの後端縁を越えて外部まで延在するとともに、前記中高吸収体に接着された持上げ部材が配設されていることを特徴とする吸収性物品が提供される。
【００１５】
上記請求項４記載の本発明は、上記持上げ部材の第２の配設形態例であり、本形態例では、相対的に細幅の中高吸収体を臀部の溝に食い込ませるようにしているため、臀部の溝に確実に密着できるようになる。
【００１６】
請求項５に係る本発明として、透液性トップシートとバックシートとの間に吸収体が介在された吸収性物品において、
前記バックシートの少なくとも後方部分であってかつ幅方向中央に、前記バックシートが幅方向に織り込まれた織り込み部分が設けられるとともに、該織り込み部分に長手方向に沿って前記バックシートの後端縁を越えて外部まで延在するとともに、前記バックシートに接着された持上げ部材が配設されていることを特徴とする吸収性物品が提供される。
【００１７】
上記請求項５記載の発明は、上記持上げ部材の第３の配設形態例であり、バックシートに織り込み部分を設けることによって、バックシート２の伸びに左右されず、吸収体を臀部の溝に食い込ませることができるようになり確実に後漏れが防止できるようになる。
【００１８】
請求項６に係る本発明として、透液性トップシートとバックシートとの間に吸収体が介在されるとともに、前記透液性トップシートの上面に別体の中高吸収体を備えた吸収性物品において、
前記中高吸収体の少なくとも後方部分であってかつ幅方向中央に、前記透液性トップシートと接着されない非接着領域が形成され、前記非接着領域の幅方向中央に長手方向に沿って前記バックシートの後端縁を越えて外部まで延在するとともに、前記中高吸収体に接着された持上げ部材が配設されていることを特徴とする吸収性物品が提供される。
【００１９】
上記請求項６記載の本発明は、上記持上げ部材の第４の配設形態例であり、中高吸収体が透液性トップシートの使用面側に設けられるため、透液性トップシートの伸びに左右されず、臀部の溝へ確実に食い込ませることができるようになる。
【００２０】
請求項７に係る本発明として、前記中高吸収体がバックシートの後端縁を越えて外部まで延在している請求項６記載の吸収性物品が提供される。
【００２１】
請求項８に係る本発明として、前記持上げ部材は、前記吸収性物品の装着時に、所定の引張力を掛けた際に破断若しくは接着が剥離するようにしてある請求項１〜７いずれかに記載の吸収性物品が提供される。
【００２２】
上記請求項８記載の発明は、装着時が前記持上げ部材が破断または剥離することによって、装着中にゴワ付き感などの不快感を与えることがなくなる。
【００２３】
請求項９に係る本発明として、前記吸収体または中高吸収体は、少なくとも後方部分において、幅方向中央部で長手方向に沿って２分割されるか、長手方向に沿って複数に分割されている請求項１〜８いずれかに記載の吸収性物品が提供される。
【００２４】
請求項１０に係る本発明として、前記吸収体または中高吸収体は、少なくとも後方部分において、幅方向中央部が長手方向に沿って薄く形成されている請求項１〜８いずれかに記載の吸収性物品が提供される。
【００２５】
請求項１１に係る本発明として、前記吸収体または中高吸収体は、少なくとも後方部分において、幅方向中央部に長手方向に沿って溝が設けられている請求項１〜８いずれかに記載の吸収性物品が提供される。
【００２６】
上記請求項９〜１１記載の発明は、吸収体または中高吸収体が前記分割部、薄肉部或いは溝で折れ曲がり易くなっているため、吸収体が容易に変形して臀部の溝に食い込み易くなる。
【００２７】
請求項１２に係る本発明として、前記吸収体または中高吸収体は、少なくとも後方部分において、長手方向に間隔をおいて幅方向に沿って複数の溝または筋が形成されている請求項１〜８いずれかに記載の吸収性物品が提供される。
【００２８】
上記請求項１２記載の発明は、長手方向に間隔をおいて幅方向に沿って複数の溝または筋を形成したため、吸収体または中高吸収体が縦方向に変形し易くなるため、臀部の湾曲に沿ってきっちりと吸収体をフィットさせることができる。
【発明の効果】
【００２９】
以上詳説のとおり本発明によれば、装着者の体型の違いや着用する下着の締付け力の違いによっても、吸収体のフィット性が変わらず、臀部の溝の最深部にきっちりと密着させることができ、後漏れが確実に防止できるようになる。
【発明を実施するための最良の形態】
【００３０】
以下、本発明の実施の形態について図面を参照しながら詳述する。
【００３１】
〔生理用ナプキン１の基本構造〕
図１は本発明の第１形態例に係る生理用ナプキン１の展開図であり、図２は図１のII−II線矢視図、図３は図１のIII−III線矢視図、図４は図１のIV−IV線矢視図である。
【００３２】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。本発明では特に、臀部の溝へのフィット性を向上させるとともに、後漏れを確実に防止するために、前記吸収体４の少なくとも後方部分であってかつ幅方向中央に、長手方向に沿って前記バックシート２の後端縁を越えて外部まで延在するとともに、前記吸収体４よりも外面側の位置（バックシート２側の位置）に接着された持上げ部材１４が配設されている。
【００３３】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００３４】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００３５】
前記吸収体４は、上層吸収体４Ａと下層吸収体４Ｂとが積層された構造とされる。前記下層吸収体４Ｂは、吸収体配置領域の外縁を画成する平面形状を有し、前記上層吸収体４Ａは、幅方向中央部にナプキン長手方向に細長く区画される領域に、使用面側に高い吸収体の中高部６を形成するために配置される。この中高部６の厚みは、厚くし過ぎると吸収体４の剛性が上がり身体への密着性が低下するため３〜２５mm、好ましくは５〜１８mmとするのが好ましい。前記上層吸収体４Ａの周縁に沿ってその近傍外側部位置には周方向に閉合するエンボス８が付与されているとともに、エンボス９，１０、１１がそれぞれ形成されている。前記エンボス８は上層吸収体４Ａの位置ズレを防止するとともに、中高部６をきっちりと画成するために付与されたエンボスである。
【００３６】
前記上層吸収体４Ａは、少なくともパルプ繊維と合成繊維とを含むとともに、前記パルプ繊維：合成繊維との比率を重量換算で８０〜２０：２０〜８０、好ましくは４０〜６０：６０〜４０で混合したものとするのが望ましい。
【００３７】
前記上層吸収体４Ａは、機能的に体液を迅速に吸収させるけれども、吸収した体液を内部に保留せずに下層吸収体４Ｂに浸透させる第１機能と、透液性トップシート３の上面に排出された体液を速やかに吸収する第２機能との両者をバランス良く満足させる必要があるところ、第１機能の浸透性を向上させるために合成繊維を混合させ過ぎると、合成繊維は吸水性を有しないか、親水性処理を施したものであっても吸水性は低いため体液の吸収速度が低下してしまうことになる。経血量が特に多い人の場合、１時間ナプキンを装着後に漏れを防止するには、少なくとも上層吸収体４Ａの液体透過率は８５％以上、吸収速度は２５秒以下とすることが望ましいため、合成繊維とパルプ繊維との混合率を上記数値とすることにより、前記第１機能と第２機能とをバランス良く両立させることができるようになる。また、少なくとも上層吸収体４Ａに合成繊維を混合することにより体液吸収状態時でも萎むことなく嵩を保持しクッション性を維持できるようになる。
【００３８】
前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３９】
前記上層吸収体４Ａは高吸水性樹脂を含有することができる。前記高吸収性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。配合量は上層吸収体４Ａが下層吸収体４Ｂ側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、高吸水性樹脂含有率が５０％を超える場合にはパルプ繊維間の絡み合いが無くなり、シート強度が低下し破れや割れ等が発生し易くなるため望ましくない。
【００４０】
前記パルプ繊維は、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００４１】
一方、前記下層吸収体４Ｂは合成繊維を含有することを要件とせず、パルプ繊維単独、或いはパルプ繊維と高吸水性樹脂との混合体とすることができる。下層吸収体４Ｂは透過性が重視されず、上層吸収体４Ａから浸透した体液を内部に保留し外部に滲み出さないように保持することが望ましいため合成繊維を含有しないようにする方がむしろ望ましい。また、高吸収性樹脂の含有率は、体液を吸収し保水するために、下層吸収体４Ｂを構成する繊維の全体重量に対して１〜２０重量％の割合で配合するのが望ましい。
【００４２】
前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１５〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００４３】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、図１７に示されるように、ショーツ３０に対する装着時に、前記ウイング状フラップＷ、Ｗが折返し線ＲＬ位置にて反対側に折り返し、ショーツのクロッチ部分に巻き付けて止着するようになっている。
【００４４】
前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００４５】
〔持上げ部材１４〕
本発明に係る生理用ナプキン１では、前記吸収体４の少なくとも後方部分であってかつ幅方向中央に、長手方向に沿って前記バックシート２の後端縁を越えて外部まで延在するとともに、前記吸収体４よりも外面側（バックシート２側）の位置に接着された持上げ部材１４が配設されている。前記持上げ部材１４のバックシート２よりも延在させた延在部分１４ａは摘み部を構成するためのものである。
【００４６】
前記持上げ部材１４の具体的な配設形態例については後述するが、持上げ部材１４は、吸収体４を臀部の溝の最深部まで食い込ませるためのものであり、使用に当たっては、生理用ナプキン１を股間部にあてがった後、図４に示されるように、装着者が前記延在部分１４ａを摘み、上方側に引き上げることによって、吸収体４を臀部の溝に食い込ませるようにする。従って、装着者の体型の違いや着用する下着の締付け力の違いによって、吸収体のフィット性が変わらずに後漏れを確実に防止できるようになる。
【００４７】
前記持上げ部材１４としては、不織布、弾性体、ヒモなど、装着時に吸収体４を臀部の溝に挟み込ませるために引張力を加えても引きちぎれない程度の強度を有する素材を使用することができる。或いは、生理用ナプキン１の装着時に、所定の引張力を掛けた際に破断若しくは接着が剥離するようにすることも可能である。この場合は、持上げ部材１４が無くなるため、装着中にゴワ付き感などの不快感を与えない点で好ましい。
【００４８】
一方、前記持上げ部材１４を残置しておく構成とした場合、前記延在部分１４ａを含めた先端部分に粘着層（図示せず）を設けておけば、装着者の肌や下着に接着することにより固定することが可能となる。また、前述の持上げ部材１４の先端部分に粘着層を設けた場合は、生理用ナプキン１の使用後に、製品を丸めて固定する際の後処理テープとして利用することも可能なる。
〔持上げ部材１４の配設形態〕
次に、持上げ部材１４の配設形態について、図５〜８に基づいて詳述する。
【００４９】
図５は、持上げ部材１４の配設形態を示す第１形態例である。本形態例は、同図(A)に示されるように、前記吸収体の少なくとも後方部分であってかつ幅方向中央に、長手方向に沿って前記バックシートの後端縁を越えて外部まで延在するとともに、前記吸収体４の外面側に接着された持上げ部材１４を配設したものである。使用時には、同図(B)に示されるように、前記持上げ部材１４の延在部分１４ａを摘んで引っ張ることにより、吸収体４の中央部を臀部の溝に食い込ませることができる。前記持上げ部材１４は、吸収体４を身体に押し付けるために、吸収体４よりも外面側の位置に配設されているのが望ましいが、持上げ部材１４を例えば不織布、パルプ不織布、エアレイド不織布などのように体液を吸収できるような素材とする場合には、吸収体４の上面側に配置してもよい。
【００５０】
図６は、持上げ部材１４の配設形態を示す第２形態例である。本形態例では、下層吸収体４Ｂと上層吸収体４Ａ（中高吸収体）との間に持上げ用部材１４を配設したものである。具体的には、同図(A)に示されるように、前記上層吸収体４Ａの少なくとも後方部分であってかつ幅方向中央に、長手方向に沿って前記バックシート２の後端縁を越えて外部まで延在するとともに、前記上層吸収体４Ａに接着された持上げ部材１４を配設したものである。使用時には、同図(B)に示されるように、前記持上げ用部材１４の延在部分１４ａを摘んで引っ張ることにより、上層吸収体４Ａを臀部の溝に食い込ませることができる。本形態例では、臀部の溝に細幅の上層吸収体４Ａを食い込ませるようにしているため、確実にフィットさせることができるようになる。
【００５１】
図７は、持上げ部材１４の配設形態を示す第３形態例である。本形態例は、同図(A)に示されるように、バックシート２の少なくとも後方部分であってかつ幅方向中央に、前記バックシート２が幅方向に織り込まれた織り込み部分２ａが設けられ、この織り込み部分２ａの幅方向中央に長手方向に沿って前記バックシート２の後端縁を越えて外部まで延在するとともに、前記バックシート２の外面側に接着された持上げ部材１４を配設するようにしたものである。使用時には、同図(B)に示されるように、前記持上げ部材１４の延在部分１４ａを摘んで引っ張ることにより、吸収体４を臀部の溝に食い込ませることができる。本形態例では、バックシート２に織り込み部分２ａを設けることによって、バックシート２の伸びに左右されずに臀部の溝に食い込ませることができるようになる。なお、前記持上げ部材１４はバックシート２の内面側に接着することもできる。
【００５２】
次いで、図８〜図１０に示される第４形態例は、図８及び図９に示されるように、透液性トップシート３とバックシート２との間に下層吸収体４Ｂが介在され、上層吸収体４Ａ（中高部６）は透液性シートに囲繞された別体の部材とし、かつ前記上層吸収体４Ａは少なくとも後方部分であってかつ幅方向中央に、前記透液性トップシート３と接着されない非接着領域（図８の破線ハッチ部分）が形成された構造において、前記上層吸収体４Ａの非接着領域の幅方向中央に長手方向に沿ってバックシート２の後端縁を越えて外部まで延在するとともに、前記上層吸収体４Ａの裏面側に接着された持上げ部材１４を設けるようにしたものである。
【００５３】
使用時には、図９(B)及び図１０に示されるように、前記持上げ部材１４の延在部分１４ａを摘み、上方に引っ張り上げることにより、上層吸収体４Ａを臀部の溝に食い込ませることができる。本形態例では、上層吸収体４Ａが透液性トップシート３の使用面側に設けられるため、透液性トップシート３の伸びに左右されずに臀部の溝への確実な食い込みが維持できるようになる。
【００５４】
上記第４形態例の場合、持上げ部材１４の上側にある上層吸収体４Ａ（中高吸収体）の長さは、バックシート２の後端縁を越えていてもよい。その場合は、持上げ部材１４はバックシート２の素材と同様に防漏性を備える部材とし、延在した部分から体液が染み出さないようにするのが望ましい。上層吸収体４Ａをバックシート２の後端縁から延在させた場合には、下層吸収体４Ｂの長さを短くできるため、臀部を広く覆う必要がなく、違和感を感じ難いものとなる。
【００５５】
上記第１〜４形態例において、持上げ部材１４と、吸収体４Ａ、４Ｂ或いはバックシート２との接着は、ホットメルト接着、ヒートシール接着、超音波接着などによって行うことができる。
【００５６】
〔その他の形態例〕
(1)上記形態例では、臀部の溝に食い込ませる吸収体４または上層吸収体４Ａの構造に関して特に規定していないが、図１１〜図１４に示されるように、臀部の溝に食い込み易くした構造とすることができる。なお、図１１〜図１４は、吸収体４、上層吸収体４Ａ及び持上げ部材１４の横断面図である。
【００５７】
図１１は少なくとも吸収体４（または上層吸収体４Ａ）の後方部分において、幅方向中央部で長手方向に２分割した例である。図１２は少なくとも吸収体４（または上層吸収体４Ａ）の後方部分において、幅方向中央部の吸収体厚を減じて薄く形成した例である。図１３は、少なくとも吸収体４（または上層吸収体４Ａ）の後方部分において、幅方向中央に長手方向に沿って溝を設けた例である。図１４は、少なくとも吸収体４（または上層吸収体４Ａ）の後方部分において、長手方向に沿って複数に分割した例である。このように、吸収体４は、図１１〜図１４の各図(A)に示される構造とすることにより、使用状態で同各図(B)に示されるように、吸収体４（または上層吸収体４Ａ）が前記分割部、薄肉部或いは溝で折れ曲がり易くなっているため容易に変形して臀部の溝に食い込み易くなる（図１６のＳ方向）。
【００５８】
また、図１５は、吸収体４（または上層吸収体４Ａ）及び持上げ部材１４の要部縦断面図である。同図に示されるように、吸収体４の後方部分において、すなわち臀部の溝に食い込む部分に、長手方向に間隔をおいて複数の溝または筋を形成した例である。これにより、使用状態で、臀部の溝の縦方向（図１６のＬ方向）への変形が容易となりフィット性が向上できるようになる。
【図面の簡単な説明】
【００５９】
【図１】本発明の生理用ナプキン１の展開図である。
【図２】その横断面図（図１のII−II線矢視図）である。
【図３】その横断面図（図１のIII−III線矢視図）である。
【図４】装着状態を示す要部縦断面図（図１のIV−IV線矢視図）である。
【図５】持上げ部材１４の第１配設形態例を示す、(A)は製品状態横断面図、(B)は装着状態横断面図である。
【図６】持上げ部材１４の第２配設形態例を示す、(A)は製品状態横断面図、(B)は装着状態横断面図である。
【図７】持上げ部材１４の第３配設形態例を示す、(A)は製品状態横断面図、(B)は装着状態横断面図である。
【図８】持上げ部材１４の第４配設形態例を示すナプキン展開図である。
【図９】持上げ部材１４の第４配設形態例を示す、(A)は製品状態横断面図（図８のIX−IX線矢視図）、(B)は装着状態横断面図である。
【図１０】持上げ部材１４の第４配設形態例の装着状態を示す要部縦断面図（図８のＸ−Ｘ線矢視図）である。
【図１１】吸収体４の他の形態例を示す、(A)は製品状態横断面図、(B)は装着状態横断面図である。
【図１２】吸収体４の他の形態例を示す、(A)は製品状態横断面図、(B)は装着状態横断面図である。
【図１３】吸収体４の他の形態例を示す、(A)は製品状態横断面図、(B)は装着状態横断面図である。
【図１４】吸収体４の他の形態例を示す、(A)は製品状態横断面図、(B)は装着状態横断面図である。
【図１５】吸収体４の他の形態例を示す装着状態縦断面図である。
【図１６】臀部の各方向を説明するための図である。
【図１７】ナプキン１の装着状態を示す斜視図である。
【符号の説明】
【００６０】
１…生理用ナプキン、２…不透液性バックシート、３…透液性トップシート、４…吸収体、４Ａ…上層吸収体、４Ｂ…下層吸収体、５…クレープ紙、６…中高部、７…サイド不織布、８…エンボス、１４…持上げ部材、ＢＳ…立体ギャザー、Ｗ…ウイング状フラップ、ＷＢ…臀部側ウイング状フラップ
【図１】
2008006204.tif 000003
【図２】
2008006204.tif 000004
【図３】
2008006204.tif 000005
【図４】
2008006204.tif 000006
【図５】
2008006204.tif 000007
【図６】
2008006204.tif 000008
【図７】
2008006204.tif 000009
【図８】
2008006204.tif 000010
【図９】
2008006204.tif 000011
【図１０】
2008006204.tif 000012
【図１１】
2008006204.tif 000013
【図１２】
2008006204.tif 000014
【図１３】
2008006204.tif 000015
【図１４】
2008006204.tif 000016
【図１５】
2008006204.tif 000017
【図１６】
2008006204.tif 000018
【図１７】
2008006204.tif 000019